(57)【要約】【課題】上下に並ぶ巻取位置に配置した２本の巻軸上に形成した複数の巻取ロールを、品質が低下しないように一斉に搬出する。【解決手段】分割した帯状シートＳ毎にその帯状シート幅に相当する巻芯長さより長い巻芯Ｃを用いて２本の巻軸３上に巻取ロールＲを形成し、巻取ロールＲ毎の各一対の支持腕８、８を設けた台車７を前進させて、各一対の支持腕の巻芯受部９、９を、巻軸３上の巻取ロールＲの両端面から突出した巻芯Ｃの両端部の下側に進入させると共に、巻芯受部９により巻芯Ｃをその軸線方向及び転動方向に拘束可能にした後、巻軸３を巻取位置から軸線方向に抜取り、台車７を後退させる。【選択図】  図７
2008260611.tif 000002
【特許請求の範囲】
【請求項１】
上下に並ぶ巻取位置に配置した２本の巻軸上に形成した複数の巻取ロールを一斉に搬出する、シート分割巻取装置の巻取ロール搬出方法であって、分割した帯状シート毎にその帯状シート幅に相当する巻芯長さより長い巻芯を用いて２本の巻軸上に巻取ロールを形成する工程と、巻取ロール毎の各一対の支持腕を設けた台車を前進させ、前記各一対の支持腕の巻芯受部を、巻軸上の巻取ロールの両端面から突出した巻芯の両端部の下側に進入させると共に、巻芯受部により巻芯をその軸線方向及び転動方向に拘束可能にする工程と、  前記巻軸を巻取位置から軸線方向に抜取る工程と、前記台車を後退させる工程とからなる、シート分割巻取装置の巻取ロール搬出方法。
【請求項２】
上下に並ぶ巻取位置に個々に配置した巻軸をその軸線方向に抜取り再び巻取位置に復帰させることができる巻軸抜取り復帰機構を備え、分割した帯状シート毎にその帯状シート幅に相当する巻芯長さより長い個々の巻芯を用いて前記巻軸上に形成した巻取ロールを一斉に搬出する、シート分割巻取装置の巻取ロール搬出装置において、前記巻軸の軸線に対して直角方向に前進後退可能な台車と、前記台車上に前記巻軸の軸線に平行する方向に位置替え可能に設けた、巻取ロール毎の一対の支持腕と、前記巻取ロールの端面から突出している前記巻芯の端部を受けると共に、前記巻芯が軸線方向に及び前後方向に移動しないように拘束することができる、前記支持腕の夫々に設けた巻芯受部とを備えることを特徴とする、シート分割巻取装置の巻取ロール搬出装置。
【請求項３】
前記巻芯受部は、前記巻軸上の巻取ロールの端面から突出している巻芯端部の下側に前記台車と共に前進して進入することができる前記支持腕の前端部と、前記前端部に形成した、前記巻芯の端部の外周面の最下部と実質的に同じ高さの巻芯受面と、前記巻軸抜取り復帰機構による巻軸抜取時に前記巻芯の端面に係合して巻芯の移動を阻止することができる、前記支持腕の前端部に固設した巻芯端面係合部と、前記支持腕の前端部から上側に突出して前記巻芯受面上の巻芯の前方への転動を阻止することができ、かつ前記前端部が前記巻芯の端部の下側に進入するとき前記支持腕の前端部に引っ込むことができる、前記巻芯受面上の巻芯の前側に配設した可動係止片と、前記巻芯受面上の巻芯の後方への転動を阻止することができる、前記巻芯受面上の巻芯の後側に配設した巻芯係止手段とを備えてなる請求項２に記載の、シート分割巻取装置の巻取ロール搬出装置。
【請求項４】
前記可動係止片は、前記支持腕に、その前端部から上側に突出引っ込み自在に装着すると共に、バネにより弾力的な突出力を付与したものである請求項３に記載の、シート分割巻取装置の巻取ロール搬出装置。
【請求項５】
前記可動係止片は、前記支持腕に設けた、前記巻軸に平行な支持軸に回転自在に装着したものである請求項４記載の、シート分割巻取装置の巻取ロール搬出装置。
【請求項６】
前記支持腕の前端部に前記巻軸を下から支えるローラを設けた請求項３乃至請求項５のいずれか１項に記載の、シート分割巻取装置の巻取ロール搬出装置。
【発明の詳細な説明】
【技術分野】
【０００１】
本発明は、上下に並ぶ巻取位置に配置した２本の巻軸上に形成した複数の巻取ロールを搬出する、シート分割巻取装置の巻取ロール搬出方法及び巻取ロール搬出装置に関する。
【背景技術】
【０００２】
２本の巻軸上に複数の巻取ロールを形成するには、シート分割巻取装置において、広幅の帯状シートをスリッターにより所要幅の複数の帯状シートに分割しながら、分割した複数の帯状シートを夫々帯状シートが幅方向に並ぶ順に従い交互に２本の巻軸へ振り分けて、前記巻軸に貫通支持した、帯状シート毎の管状の巻芯のまわりに巻取る。
【０００３】
従来のシート分割巻取装置の巻取ロール搬出方法では、下記特許文献１に開示されているように、巻軸毎の巻取ロールに共通の受台を上下に昇降可能に設けた台車を前進させて、受台を巻軸上の巻取ロールの下方に進入させた後、受台を上昇させて巻取ロールの外周面の下部を受台で受け、その状態で巻軸を巻取位置から軸線方向に抜取った後、前記台車を後退させる。
【０００４】
ところが、受台により巻取ロールの外周面を受けて搬出すると、その巻取ロールの外周面の受台との接触部分は受台から押圧力を受ける。また巻軸抜取り時に受台上の巻取ロールは軸線方向に移動する巻軸と一緒に移動しようとし、搬出中に巻取ロールが受台上を転がろうとする。そのため、巻取ロールの外周面と受台とが擦れて巻取ロールの外周面に傷が生じ易い。特に、巻取る帯状シートが例えば表面にコーティングを施したプラスチックフイルムのように表面が傷付き易く、その傷が巻取ロール品質を大きく左右するものである場合には、歩留が低下するという問題が生じる。
【０００５】
また、一般に、帯状シートの厚みむら等に起因して、同時に巻取った複数の巻取ロールであっても、各巻取ロールの半径の大きさに多少の差が生ずる。その場合、一つの巻軸上に形成した複数の巻取ロールを共通の受台で受けると、半径の大きい巻取ロールに受台の持上げ力が集中して過大な押圧力が加わり、半径の小さい巻取ロールの外周面が受台から浮き上がる。そして巻軸を抜取ったとき、その巻取ロールは、受台上面からの浮き上がり分だけ落下するので、巻取ロールの外周面に傷が生じるのを避け難い。そこで、巻軸を巻取位置から抜取る前に、各巻取ロールをその半径に応じて夫々適正に支持しておかなければならず、そのためには、巻取ロール毎に個別に昇降する受台を設け、各受台の高さを巻取ロールの半径に応じて調節することが必要になる。したがって巻取ロールの搬出操作が非常に面倒になり、巻取ロール搬出装置が複雑になると共に、巻取ロール搬出装置は更に複雑化、大型化する。
【特許文献１】特開昭６１−３７６５０号公報
【発明の開示】
【発明が解決しようとする課題】
【０００６】
上述のような問題点に鑑み、本発明は、上下に並ぶ巻取位置に配置した２本の巻軸上に形成した複数の巻取ロールを、品質が低下しないように一斉に搬出することを課題としている。
【課題を解決するための手段】
【０００７】
上記課題を解決するために、本発明では、分割した帯状シート毎にその帯状シート幅に相当する巻芯長さより長い巻芯を用いて２本の巻軸上に巻取ロールを形成し、巻取ロール毎の各一対の支持腕を設けた台車を前進させて、前記各一対の支持腕の巻芯受部を、巻軸上の巻取ロールの両端面から突出した巻芯の両端部の下側に進入させると共に、巻芯受部により巻芯をその軸線方向及び転動方向に拘束可能にした後、前記巻軸を巻取位置から軸線方向に抜取り、前記台車を後退させる。
【０００８】
また、本発明のシート分割巻取装置の巻取ロール搬出装置は、上下に並ぶ巻取位置に個々に配置した巻軸をその軸線方向に抜取り再び巻取位置に復帰させることができる巻軸抜取り復帰機構を備え、分割した帯状シート毎にその帯状シート幅に相当する巻芯長さより長い個々の巻芯を用いて前記巻軸上に形成した巻取ロールを一斉に搬出する、シート分割巻取装置の巻取ロール搬出装置において、前記巻軸の軸線に対して直角方向に前進後退可能な台車と、前記台車上に前記巻軸の軸線に平行する方向に位置替え可能に設けた、巻取ロール毎の一対の支持腕と、前記巻取ロールの端面から突出している前記巻芯の端部を受けると共に、前記巻芯が軸線方向に及び前後方向に移動しないように拘束することができる、前記支持腕の夫々に設けた巻芯受部とを備えることを特徴とする。
【０００９】
また、巻取ロール搬出装置を簡素化するには、巻取ロール毎の各一対の支持腕を昇降させることなく巻取ロールを巻軸から受取るようにするのが望ましく、そのために、前記巻芯受部は、前記巻軸上の巻取ロールの端面から突出している巻芯端部の下側に前記台車と共に前進して進入することができる前記支持腕の前端部と、前記前端部に形成した、前記巻芯の端部の外周面の最下部と実質的に同じ高さの巻芯受面と、前記巻軸抜取り復帰機構による巻軸抜取時に前記巻芯の端面に係合して巻芯の移動を阻止することができる、前記支持腕の前端部に固設した巻芯端面係合部と、前記巻芯受面より上方に突出して前記巻芯受面上の巻芯の前方への転動を阻止することができ、かつ前記前端部が前記巻芯の端部の下側に進入するとき下方に引っ込むことができる、前記巻芯受面上の巻芯の前側に配設した可動係止片と、前記巻芯受面上の巻芯の後方への転動を阻止することができる、前記巻芯受面上の巻芯の後側に配設した巻芯係止手段とを備えてなるものがよい。
【００１０】
前記巻芯受面の前側に設けた可動係止片を駆動する駆動装置を備えなくても、前記可動係止片が、前記巻芯受面より上方に自動的に突出して前記巻芯受面上の巻芯が前方へ転動するのを阻止し、前記支持腕の前端部が前記巻芯の端部の下側に進入するとき下方に自動的に引っ込むようにするには、前記可動係止片は、前記支持腕に、その前端部から上側に突出引っ込み自在に装着すると共に、バネにより弾力的な突出力を付与したものがよい。
【００１１】
また、前記可動係止片の突出、引っ込み動作を確実にするには、前記可動係止片は、前記支持腕に設けた、前記巻軸に平行な支持軸に回転自在に装着したものがよい。
【００１２】
更に、巻軸抜取り時の巻軸の抜取り抵抗を小さくすると共に抜取り時及び復帰時の巻軸の撓みを小さくするために、前記支持腕の前端部に前記巻軸を下から支えるローラを設けるとよい。
【発明の効果】
【００１３】
本発明のシート分割巻取装置の巻取ロール搬出方法によれば、巻取ロール毎の各一対の支持腕により、巻取ロールの両端面から突出した巻芯の両端部を支持して搬出するので、巻取ロール搬出時にその巻取ロールに過大な押圧力や擦り傷が生じず、巻取ロールの品質を損なうことなく搬出することができる。また一対の支持腕で巻取ロールを支持するとき、巻取ロールの半径が変わっても同じ外径の巻芯を使用できるので、巻取ロールの半径に応じて支持腕の高さを変える必要がない。そのため、従来に比べて巻軸から巻取ロールを受取るための機構の簡素化を図ることができる。
【００１４】
またシート分割巻取装置の巻取ロール搬出装置によれば、従来に比べて構造や動作を簡素化した巻取ロール搬出装置を提供することができる。
【００１５】
前記巻芯受部は、前記巻軸上の巻取ロールの端面から突出している巻芯端部の下側に前記台車と共に前進して進入することができる前記支持腕の前端部と、前記前端部に形成した、前記巻芯の端部の外周面の最下部と実質的に同じ高さの巻芯受面と、前記巻軸抜取り復帰機構による巻軸抜取時に前記巻芯の端面に係合して巻芯の移動を阻止することができる、前記支持腕の前端部に固設した巻芯端面係合部と、前記支持腕の前端部から上側に突出して前記巻芯受面上の巻芯の前方への転動を阻止することができ、かつ前記前端部が前記巻芯の端部の下側に進入するとき前記支持腕の前端部に引っ込むことができる、前記巻芯受面上の巻芯の前側に配設した可動係止片と、前記巻芯受面上の巻芯の後方への転動を阻止することができる、前記巻芯受面上の巻芯の後側に配設した巻芯係止手段とを備えてなるものであることにより、巻取ロールの半径に応じて支持腕の高さを変える必要がないため、巻取ロール搬出装置の構造や動作を簡素化できる。
【００１６】
また、前記可動係止片は、バネによって弾力的な突出力を付与したことにより、可動係止片を駆動する駆動装置が不要になり、支持腕の構造が簡素になる。
【００１７】
また、前記可動係止片は、前記支持腕に設けた、前記巻軸に平行な支持軸に回転可能に装着してあることにより、可動係止片の回転摩擦抵抗を小さくして確実な突出、引っ込み動作を得ることができる。
【００１８】
更に、前記支持腕の前端部に前記巻軸の外周面下部を支えるローラを設けることにより、巻軸抜取り時の抜取り抵抗が小さくなると共に巻軸の撓みが小さくなり、円滑な巻軸の抜取り及び復帰が可能になる。また巻軸の長尺化にも対応できる。
【発明を実施するための最良の形態】
【００１９】
図１は本発明の一実施例に係るシート分割巻取装置の概略立面図、図２は、シート分割巻取装置の巻取ロール搬出装置の概略側面図、図３は図２に示す巻取ロール搬出装置を図２の矢印Ａ２の方向に視た概略立面図である。なお図１は図２において矢印Ａ１の方向に視たものである。
【００２０】
シート分割巻取装置１は、広幅の帯状シートＳ０を複数条の所要幅の帯状シートＳに分割するスリッター２と、上下に並ぶ巻取位置に個々に配置した互いに平行する２本の巻軸３、３と、巻取位置に配置した巻軸３を回転駆動することができる回転駆動機構４とを備え、広幅の帯状シートＳ０を、複数の切断刃２ａを持つスリッター２により複数条に分割しながら、その分割した複数の帯状シートＳを夫々その帯状シートＳが幅方向に並ぶ順に従い交互に上下の巻取位置の２本の巻軸３、３へ振り分けて、巻軸３に貫通支持された各々の管状の巻芯Ｃのまわりに同時に巻取る。各帯状シートの巻芯Ｃは夫々外径が同じものを用い、帯状シートＳの巻取中、巻軸３を回転駆動機構４により図２に矢印Ａ３で示す方向に回転駆動する。それによって巻軸３上の巻芯Ｃも回転して巻芯Ｃのまわりに帯状シートＳの巻取ロールＲが形成される。
【００２１】
本発明では、巻取ロールＲの外周面を受けることなく搬出できるようにするために、帯状シートＳを巻取るとき、図１に示すように巻芯Ｃは、分割した帯状シートＳの幅に相当する長さＬより所要長さ（Ｌ１＋Ｌ１）だけ長いものを用いる。そのため、形成された巻取ロールＲはその両端面から巻芯Ｃの両端が夫々一定長さＬ１だけ突出したものとなり、巻取ロールＲの搬出時、突出した巻芯Ｃの両端部を支持する。
【００２２】
シート分割巻取装置１の巻取ロール搬出装置５は、巻軸３上に形成した巻取ロールＲを一斉に搬出するためのものであり、巻軸３その軸線方向に抜取り再び前記巻取位置に復帰させることができる巻軸抜取り復帰機構６を備え、更に、巻取位置の後方に配置した、巻軸３の軸線に対して直角方向に前進後退可能な台車７と、台車７上に巻軸３の軸線に平行する方向に位置替え可能に設けた、巻取ロールＲ毎の各一対の支持腕８と、巻取ロールＲの両端面から突出している巻芯Ｃの両端部を受けるための、一対の支持腕８の夫々に設けた巻芯受部９とを備えている。
【００２３】
台車７は、この実施例では基盤上に設けたレール１０に夫々ころがり接触する案内体１０ａ上に固着してあり、レール１０に沿って移動することができる。
【００２４】
帯状シートＳの分割幅が変わったとき巻芯Ｃの長さに応じて支持腕８を台車７上に巻軸３の軸線に平行する方向に位置替え可能にするために、図３に示すように台車７上に一対のフレーム１１、１１を立設し、この一対のフレーム１１、１１間に上下に配設した梁部材１２、１２に、夫々巻軸３に平行するレール１３、１３を設け、レール１３、１３に支持腕８の基部８ａをスライド可能に装着すると共に、一対のフレーム１１、１１間に固定して架設した位置決め用の棒１４に、支持腕８毎のスライド部材１５を夫々貫通状態でスライド可能に装着し、スライド部材１５と支持腕８とに連結板１６の両端部を固着して両者を連結し、スライド部材１５を位置決め用の棒１４に締付け固定するためのネジ付きクランプハンドル１７をスライド部材１５に設けている。
【００２５】
図４は図２に示す巻芯受部９の側面図、図５は図４に示すＡ−Ａ矢視断面図である。巻芯受部９は、巻軸３上の巻取ロールＲの端面から突出している巻芯Ｃ端部の下側に台車７と共に前進して進入することができる支持腕８の前端部８ｂと、この前端部８ｂに形成した、巻芯Ｃの端部の外周面の最下部Ｐ１と実質的に同じ高さの巻芯受面１８と、巻軸抜取り復帰機構による巻軸３の抜取時に巻芯Ｃの端面に係合して巻芯Ｃの移動を阻止することができる、支持腕８の前端部８ｂに固設した巻芯端面係合部１９と、巻芯受面１８より上方に突出して該巻芯受面１８上の巻芯Ｃの前方への転動を阻止することができ、かつ前端部８ｂが巻芯Ｃの端部の下側に進入するとき下方に引っ込むことができる、巻芯受面１８上の巻芯Ｃの前側に配設した可動係止片２０と、巻芯受面１８上の巻芯Ｃの後方への転動を阻止することができる巻芯係止手段として巻芯受面１８上の巻芯Ｃの後側に配設した立上がり面２１とからなる。なお、図５に示すように支持腕の前端部８ｂの左側面には、可動係止片２０等の収容部を覆う蓋板８ｃをネジ止めしてあるが、図４は、この蓋板８ｃを取外した状態を示している。
【００２６】
支持腕８は、その前端部８ｂが巻軸３上の巻芯Ｃ端部の下側に進入することができるようにするために、支持腕８の、巻軸３上の巻芯Ｃに対応する部分及び巻軸３に対応する部分は、夫々支持腕８の前端から後方に一定長さ切取ってあり、台車７が前進限に移動したとき支持腕の前端部８ｂは図４に示す位置に配置されるようになっている。
【００２７】
可動係止片２０は、支持腕の前端部８ｂに設けた、巻軸３に平行な支持軸２２に回転可能に装着してある。また可動係止片２０の下部に取付けたピン２３と、支持腕の前端部８ｂに取付けたピン２４とをバネ２５により連結している。したがって、可動係止片２０には支持軸２２を中心に図４において時計方向の回転力が弾力的に付与してある。つまり可動係止片２０はその上部が支持腕の前端部８ｂから上向きに弾力的に突出するようにバネ２５により突出力を付与されている。また可動係止片２０が図４に示す位置から支持軸２２を中心に更に時計方向に回転するのを阻止するために、可動係止片２０の下部に係合するピン２６を前端部８ｂに取付けている。バネ２５は、図４に示す実施例では引っ張りコイルバネであるが、これに限らず、設計条件に応じて他のバネやゴム等であってもよい。
【００２８】
図１において、実線で示す巻軸３は、左側の機枠２７を貫通して巻取位置に配置してある。巻軸３を、巻取位置で回転可能に両端支持したり、巻取位置から軸線方向に左方に抜き取ったりできるようにするために、巻軸３の先端部を、右側の機枠２８に設けた回転センタ２９に係合させ、巻軸３の後端部を軸受３０で保持し、この軸受３０のテーパ状の先端部を、左側の機枠２７に固設した軸受保持筒３１の後端のテーパ穴に嵌めて保持している。
【００２９】
この実施例では、巻軸抜取り復帰機構６は、左側の機枠２７の外側に巻軸に平行に設けた案内部材３２と、案内部材３２にスライド可能に装着すると共に、巻軸３の後端部の軸受３０を保持した移送体３３と、この移送体３３に螺合した、モータ３４により選択的に正転及び逆転駆動可能なネジ棒３５とからなる。図１に２点鎖線で示す巻軸３は、巻軸抜取り復帰機構６により巻取位置から抜取った状態にある。また巻軸駆動機構５は、図示しない巻取モータから動力を伝達される歯車３６と、この歯車３６にかみ合う、巻軸３により貫通された歯車３７と、この歯車３７と巻軸３との結合を断続可能な噛み合いクラッチ３８とを備えた公知のものである。
【００３０】
上述のように構成したシート分割巻取装置１の巻取ロール搬出装置５により、上下に並ぶ巻取位置に配置した２本の巻軸２上に形成した複数の巻取ロールＲを一斉に搬出するには、次の方法を用いる。即ち、この方法は、分割した帯状シートＳ毎にその帯状シートＳの幅に相当する巻芯長Ｌさより所要長さ（Ｌ１＋Ｌ２）だけ長い巻芯を用いて２本の巻軸３上に巻取ロールＲを形成する工程と、巻取ロールＲ毎の各一対の支持腕８、８を設けた台車７を前進させ、各一対の支持腕８の巻芯受部９を、巻軸３上の巻取ロールＲの両端面から突出した巻芯Ｃの両端部の下側に進入させると共に、巻芯受部９により巻芯Ｃをその軸線方向及び転動方向に拘束可能にする工程と、巻芯抜取り復帰機構６により巻取位置から軸線方向に抜取る工程と、台車を７後退させる工程とからなる。
【００３１】
巻取ロールＲの搬出を開始する前に、巻取ロール毎の一対の支持腕８、８は、スリッター２による帯状シート分割幅の変更に応じてレール１３沿いに移動させ、巻軸３上の巻取ロールＲの両端面から突出した巻芯Ｃの両端部に対応する位置につけておく。
【００３２】
前進中の台車７が前進限に至る直前に、巻軸３上の巻芯Ｃの端部が可動係止片２０の上部の前側に係合して可動係止片２０をバネ２５の弾力に抗して押し、それによって、図６に示すように可動係止片２０は支持軸２２を中心に反時計方向に回転して傾き、その可動係止片２０の上部は、支持腕８の前端部８ｂの内部へ引っ込む。そして台車７が前進限に至り、巻芯受面１８上に巻軸３上の巻芯Ｃが配置されると、引っ込んでいた可動係止片２０はバネ２５の弾力により支持軸６を中心に時計方向に回転し、可動係止片２０の上部は、図４、図５に示すように巻芯受面１８の上方に突出する。これにより、可動係止片２０は巻芯受面１８上に巻芯Ｃが載ったとき巻芯Ｃの前方への転動を阻止することができる。
【００３３】
また、巻芯端面係合部１９は、図４に示すように巻芯受面１８上に巻軸３上の巻芯Ｃを配置したとき、巻芯Ｃの端面の後部に沿い、かつ巻軸３に干渉しないように形成し、図７に示すように巻芯受面１８の外側に配置してあるので、巻軸３を巻軸抜取り復帰機構６により巻取位置から図７の矢印Ａで示す方向に抜取るとき、右側の巻芯係合部材１９は巻芯Ｃの抜取り側の端面に係合し、支持腕８に対して巻芯Ｃの軸線方向の移動を阻止することができる状態になる。そして、この状態で巻軸３を巻取位置から抜取ると、巻軸３上の巻芯Ｃは、抜取り側の巻芯端面係合部１９により巻軸３と共に移動するのを阻止され、巻芯受面１８上に解放される。巻芯受面１８に解放された巻取ロールＲの巻芯Ｃは、搬送中、巻芯受面１８上に巻芯端面係合部材１８により巻芯Ｃの軸線方向に移動しないように拘束され、可動係止片２０及び立上がり面２１により前後方向に転落しないように拘束される。
【００３４】
巻軸３の抜取り時に、巻軸３は、その先端が回転センタ２９から抜けると片持ち状態になるため巻取ロールＲ等の重量により下方に大きく撓もうとするが、巻芯Ｃを介して巻芯受面１８により支えられているので、その巻軸３の撓みを小さく抑えることができる。そのため巻軸の抜取りを円滑に行うことができ、また巻軸に加わる曲げ応力が緩和されるので巻軸の長尺化を図ることができる。また各巻芯Ｃの外径を夫々巻取ロールＲの外径に関係なく等しくできるため、巻軸３上の特定の巻取ロールＲが巻軸３上の他の巻取ロールＲより半径が小さくても、実質上、巻軸３から解放された巻取ロールＲが落下するということがなく、仮に落下しても巻芯Ｃの両端部の外周面を受けるので、巻取ロールＲの外周面が傷つくことを確実に防止できる。
【００３５】
本発明によれば、図８、図９に示すように、支持腕８の前端部８ａに巻軸３を下から支えるローラ３９を設けるとよい。このローラ３９は、支持腕８の外側側面に固設した一対のブラケット４０に装着してあり、巻軸抜取り時に片持ち状態になった巻軸３の外周面の下部を支え、抜取られる巻軸３に従動して回転する。また本発明では、巻取ロールを搬出するとき、帯状シートの種類等に応じて適宜巻取ロールの外周面を受台で受けたり、巻取ロールの両端面から突出した巻芯の両端部を一対の支持腕で受けたりできるようにするために、例えば前述の特許文献１に開示されるように台車上に巻取ロールの外周面を受けるための受台を昇降可能かつその高さを調節可能に設け、この受台上の適当する位置に巻軸に平行な案内部材を設け、この案内部材に巻取ロール毎の一対の支持腕を夫々取付け及び取外しでき、かつ案内部材沿いに所要位置に移動してその位置に固定できるようにしたものであってもよい。また台車を前進限に移動したとき、加工誤差や組立誤差等に起因して、巻芯受部にある巻芯受面の高さが巻軸上の巻芯の外周面最下部の高さより僅かに高かったり低かったりしても、巻取ロールの搬出動作に支障がなく、しかも巻取ロール品質に悪影響が及ばなければ、巻軸上の巻芯の外周面最下部と巻芯受面とは実質的に同一の高さと見做す。また可動係止片は支持腕の前端部にスライド可能に装着したものでもよい。
【図面の簡単な説明】
【００３６】
【図１】本発明の一実施例に係るシート分割巻取装置の概略正面図である。
【図２】図１に示すシート分割巻取装置の巻取ロール搬出装置の概略側面図である。
【図３】図２に示す巻取ロール搬出装置を矢印Ａ２の方向に視た概略立面図である。
【図４】図２に示す巻芯受部９の概略側面図である。
【図５】図４に示す切断線Ａ−Ａ沿いの断面を矢印Ｂ方向に視た断面図である。
【図６】可動係止片が支持腕の前端部に引っ込んだ状態を示す側面図である。
【図７】一対の支持腕で巻取ロールを支持した状態を示す立面図である。
【図８】支持腕の他の実施態様を示す立面図である。
【図９】図８に示す支持腕の側面図である。
【符号の説明】
【００３７】
Ｃ  巻芯
Ｒ  巻取ロール
１  シート分割巻取装置
２  スリッター
３  巻軸
４  回転駆動機構
５  巻取ロール搬出装置
６  巻軸抜取り復帰機構
７  台車
８  支持腕
８ｂ  前端部
９  巻芯受部
１２  梁部材
１３  レール
１８  巻芯受面
１９  巻芯端面係合部
２０  可動係止片
２１  巻芯係止手段
２２  支持軸
２５  バネ
【図１】
2008260611.tif 000003
【図２】
2008260611.tif 000004
【図３】
2008260611.tif 000005
【図４】
2008260611.tif 000006
【図５】
2008260611.tif 000007
【図６】
2008260611.tif 000008
【図７】
2008260611.tif 000009
【図８】
2008260611.tif 000010
【図９】
2008260611.tif 000011